(57)【要約】      （修正有）【課題】キャビネット本体の正面側だけでなくキャビネット本体の内部も照らすことができる構成を提供する。【解決手段】ミラーキャビネット６は、キャビネット本体１０と、キャビネット本体１０の内部空間を開閉するミラー扉７と、キャビネット本体１０の正面側であって閉鎖位置のミラー扉７と隣り合わせとなる位置に配置される照明ユニット（照明器具）６０と、を備える。照明ユニット６０は、キャビネット本体１０側に固定され、ＬＥＤ素子（光源）が正面側に配置されるＬＥＤ基板（照明基板）と、透光性を有し、ＬＥＤ基板に配置されるＬＥＤ素子の正面及び側面を覆う照明カバー７０と、を有する。【選択図】図７
2017080288.tif 000002
【特許請求の範囲】
【請求項１】
キャビネット本体と、
前記キャビネット本体の内部空間を開閉するミラー扉と、
前記キャビネット本体の正面側であって閉鎖位置の前記ミラー扉と隣り合わせとなる位置に配置される照明器具と、
を備え、
前記照明器具は、
前記キャビネット本体側に固定され、光源が正面側に配置される照明基板と、
透光性を有し、前記照明基板に配置される前記光源の正面及び側面を覆う照明カバーと、
を有するミラーキャビネット。
【請求項２】
前記照明基板は、閉鎖位置の前記ミラー扉の表面よりも背面側で前記キャビネット本体側に固定される請求項１に記載のミラーキャビネット。
【請求項３】
前記照明カバーは、前記照明基板よりも背面側に配置され、前記キャビネット本体側に係合する係合部を有する請求項１又は２に記載のミラーキャビネット。
【請求項４】
前記キャビネット本体は、
前記キャビネット本体の内部空間を区画する金属製の仕切り板を有し、
前記照明基板は、前記仕切り板の正面側に直接固定される請求項１から３の何れかに記載のミラーキャビネット。
【発明の詳細な説明】
【技術分野】
【０００１】
本発明は、照明器具を備えるミラーキャビネットに関する。
【背景技術】
【０００２】
従来から、照明器具を備えるミラーキャビネットが知られている。この種のミラーキャビネットを開示するものとして特許文献１や特許文献２がある。特許文献１には、ミラーキャビネットにおいて、収納部の開口を開閉するミラー扉と、隣り合う前記収納部を仕切る仕切り板と、隣り合う前記ミラー扉の間であって前記仕切り板の前面に設けた照明器具と、を備える構成が開示されている。特許文献２には、キャビネット本体と照明装置を備えるキャビネットにおいて、照明装置が、点光源と、この点光源が設けられた回路基板と、キャビネット本体に設けられた長尺な導光部材と、を有する構成が開示されている。
【先行技術文献】
【特許文献】
【０００３】
【特許文献１】特開２０１５−１０４５５１号公報
【特許文献２】特開２０１４−１７１８０５号公報
【発明の概要】
【発明が解決しようとする課題】
【０００４】
ところで、キャビネット本体の内部は板材によって覆われているため、ミラー扉を開けたときに周囲の状態によっては内部に光が届かないことがある。特許文献１では、隣り合うミラー扉の間であって仕切り板の前面にベース部を介して照明基板が固定されているものの、照明基板の光源の側方がベース部に覆われた状態となっており、キャビネット本体の内部を照明することが考慮されていなかった。特許文献２に開示される構成においても、導光部材を覆うホルダやベースによって照明装置の側方のほとんどが覆われた状態となっており、照明装置の光を利用してキャビネット本体の内部を明るくすることは困難であった。
【０００５】
本発明は、キャビネット本体に照明器具を取り付けるための構造において、キャビネット本体の正面側だけでなくキャビネット本体の内部も照らすことができる構成を提供することを目的とする。
【課題を解決するための手段】
【０００６】
本発明は、キャビネット本体（例えば、後述のキャビネット本体１０）と、前記キャビネット本体の内部空間を開閉するミラー扉（例えば、後述のミラー扉７）と、前記キャビネット本体の正面側であって閉鎖位置の前記ミラー扉と隣り合わせとなる位置に配置される照明器具（例えば、後述の照明ユニット６０）と、を備え、前記照明器具は、前記キャビネット本体側に固定され、光源（例えば、後述のＬＥＤ素子６２）が正面側に配置される照明基板（例えば、後述のＬＥＤ基板６１）と、透光性を有し、前記照明基板に配置される前記光源の正面及び側面を覆う照明カバー（例えば、後述の照明カバー７０）と、を有するミラーキャビネット（例えば、後述のミラーキャビネット６）に関する。
【０００７】
前記照明器具は、閉鎖位置の前記ミラー扉の表面よりも背面側で前記キャビネット本体側に固定されることが好ましい。
【０００８】
前記照明カバーは、前記照明基板よりも背面側に配置され、前記キャビネット本体側に係合する係合部（例えば、後述の係合部７５及び係合部１７５）を有することが好ましい。
【０００９】
前記キャビネット本体は、前記キャビネット本体の内部空間を区画する金属製の仕切り板（例えば、後述の仕切り板５０）を有し、前記照明基板は、前記仕切り板の正面側に直接固定されることが好ましい。
【発明の効果】
【００１０】
本発明によれば、キャビネット本体に照明器具を取り付けるための構造において、キャビネット本体の正面側だけでなくキャビネット本体の内部も照らすことができる構成を提供できる。
【図面の簡単な説明】
【００１１】
【図１】本発明の一実施形態に係るミラーキャビネットが適用される洗面化粧台を示す斜視図である。
【図２】本実施形態のミラーキャビネットを示す平面図である。
【図３】本実施形態のキャビネット本体の内部を示す斜視図である。
【図４】本実施形態の天板を取り除いた状態の仕切り板に固定される照明ユニットを示す断面図である。
【図５】本実施形態の仕切り板及び照明ユニットの分解斜視図である。
【図６】本実施形態の照明カバー及びＬＥＤ基板を示す拡大断面図である。
【図７】中央のミラー扉が開いた状態の本実施形態のキャビネット本体を示す斜視図である。
【図８】第１変形例の照明カバー及びＬＥＤ基板を示す拡大断面図である。
【図９】第２変形例のミラーキャビネットを示す平面図である。
【図１０】第２変形例の左右のミラー扉が開いた状態のミラーキャビネットを示す平面図である。
【図１１】第２変形例の照明カバー及びＬＥＤ基板を示す拡大断面図である。
【発明を実施するための形態】
【００１２】
以下、本発明の好ましい実施形態について、図面を参照しながら説明する。図１は、本発明の一実施形態に係るミラーキャビネット６が適用される洗面化粧台１を示す斜視図である。なお、以下の説明において、単に左右方向といったときは、ミラーキャビネット６を正面から見たときの左右方向を示すものとする。
【００１３】
図１に示すように、本実施形態の洗面化粧台１は、洗面所等に設置されるものであり、床面に載置される洗面台２と、洗面台２の上方に配置されるミラーキャビネット６と、を主要な構成として備える。洗面台２の上部には洗面ボウル３が配置され、該洗面ボウル３には水栓４及びハンドル５が配置される。
【００１４】
ミラーキャビネット６は、キャビネット本体１０と、キャビネット本体１０の正面に取り付けられる複数のミラー扉７と、ミラー扉７の間に配置される複数の照明ユニット６０と、照明ユニット６０の点灯等を操作するリモコン１２０と、を備える。
【００１５】
本実施形態では、複数のミラー扉７は、中央に配置されるミラー扉７Ｃと、左右に配置されるミラー扉７Ｌ，７Ｒと、から構成される。そして、ミラー扉７Ｃは、その左右方向の長さがミラー扉７Ｌ，７Ｒよりも長く構成されている。また、複数の照明ユニット６０は、ミラー扉７Ｌとミラー扉７Ｃの間に配置され、左側に位置する照明ユニット６０Ｌと、ミラー扉７Ｃとミラー扉７Ｒの間に配置され、右側に位置する照明ユニット６０Ｒと、から構成される。
【００１６】
キャビネット本体１０の構造について説明する。図２は、本実施形態のミラーキャビネット６を示す平面図である。図３は、本実施形態のキャビネット本体１０の内部を示す斜視図である。なお、図３では、キャビネット本体１０の内部構造を示すため、ミラー扉７Ｃ，７Ｌ，７Ｒ、及びミラー扉７Ｃ，７Ｌ，７Ｒを支持開閉するための蝶番９５（図７参照）の図示を省略している。
【００１７】
図２及び図３に示すように、キャビネット本体１０は、背板１１と、側板１２と、天板１４と、底板１５（左側底板１５Ｌ、中央底板１５Ｃ及び右側底板１５Ｒ）と、仕切り板５０と、をキャビネット本体１０の外形を形成する構成材として備える。
【００１８】
背板１１は、キャビネット本体１０の背面を形成する板材である。背板１１の背面側が建築物の壁に対面し、正面側がミラーキャビネット６の収納空間の一部を形成する。側板１２は、キャビネット本体１０の左右両側にそれぞれ設けられ、キャビネット本体１０の側面を形成する。天板１４は、左右方向に延びる１枚の板材であり、キャビネット本体１０の上面を形成する。
【００１９】
左側底板１５Ｌと、中央底板１５Ｃと、右側底板１５Ｒと、の複数の板材によってキャビネット本体１０の下面が形成される。左側底板１５Ｌ及び右側底板１５Ｒは、中央底板１５Ｃよりも高い位置に配置される。本実施形態の右側底板１５Ｒの下方には、内蔵コンセント２０が配置される。内蔵コンセント２０は、プラグ付きコード（図示省略）を介して外部電源に接続されている。内蔵コンセント２０の正面側にはコンセント差込口が２箇所設けられる。
【００２０】
本実施形態では、キャビネット本体１０の構成材のうち、外形を形成する背板１１、側板１２、天板１４及び底板１５が木製の材料で構成される。
【００２１】
仕切り板５０は、キャビネット本体１０の内部空間を複数に区画する板材である。本実施形態では、左側に配置される仕切り板５０Ｌと、右側に配置される仕切り板５０Ｒと、によってキャビネット本体１０の内部空間が、左側収納部８Ｌ、中央収納部８Ｃ、右側収納部８Ｒの３つの空間に区画されている。なお、本実施形態のミラーキャビネット６は、左側収納部８Ｌ、中央収納部８Ｃ、右側収納部８Ｒを上下に更に区画する横仕切り板９を所定の位置にセットすることができる（図７の中央収納部８Ｃ参照）。
【００２２】
次に、仕切り板５０の詳細な構成及び該仕切り板５０に固定される照明ユニット６０について説明する。図４は、本実施形態の天板１４を取り除いた状態の仕切り板５０Ｌに固定される照明ユニット６０Ｌを示す断面図である。図５は、本実施形態の仕切り板５０Ｌ及び照明ユニット６０Ｌの分解斜視図である。
【００２３】
図４及び図５に示すように、仕切り板５０は、中空部を有する細長の縦枠として形成される。本実施形態の仕切り板５０は、アルミニウムの押出成形によって中空部を有するように製造されている。
【００２４】
仕切り板５０は、背面側に位置する本体部５１と、正面側に位置する照明取付部５２と、から構成される。本体部５１と照明取付部５２は、一体的な部材であり、本体部５１と照明取付部５２の内側の空間は連通している。
【００２５】
本体部５１の内側には、補強リブ４０が形成される。補強リブ４０は縦方向に延びており、本体部５１の内側の空間を正面側と背面側に区画している。本実施形態の補強リブ４０は、補強だけでなく、仕切り板５０の中空部に配線される各種の配線の固定箇所としても機能する。
【００２６】
仕切り板５０は、天板１４及び背板１１に固定される。本体部５１の内側の正面側には、天板１４から差し込まれるビス（図示省略）を固定するためのビス受け部５５が２箇所形成される。
【００２７】
本体部５１の背面側には、背板１１側から差し込まれるビス３０を固定するためのビス受け部５６が形成される。ビス受け部５６は、縦方向に延びるレール状に形成されており、上下方向に複数のビス３０を差し込むことができる。本実施形態では、上下方向に所定の間隔をあけて４本のビス３０が背板１１側から仕切り板５０の内側に挿通されている。ビス受け部５６が縦方向にわたり形成されているので、縦方向の任意の位置にビス３０を固定することができる。例えば、仕切り板５０の中空部内に配置される部材を避けるようにビス３０を配置することで、仕切り板５０の中空部内に配置される部材とビス３０の干渉を確実に避けることができる。
【００２８】
また、背板１１は、その背面側であって仕切り板５０に対応する位置に柱状部材３１を有し、ビス３０は該柱状部材３１を貫通した上で背板１１を貫通して仕切り板５０に達している。キャビネット本体１０に仕切り板５０を固定するビス３０は、ビス受け部５５又はビス受け部５６に差し込まれるので、後述の電源ユニット８０に接続される各種配線がビス３０に接触して損傷する事態が防止されている。
【００２９】
照明取付部５２は、中央収納部８Ｃ側の本体部５１から正面側に突出している。照明取付部５２は、その正面側が平面状に形成されており、照明ユニット６０の取付面５７として機能する。取付面５７の周囲には、照明カバー７０を固定するための被係合部５８が形成される。
【００３０】
照明ユニット６０は、ＬＥＤ基板６１と、照明カバー７０と、上部キャップ７６と、下部キャップ７７と、を備えるライン照明である。
【００３１】
ＬＥＤ基板６１は、細長に形成される電子部品である。ＬＥＤ基板６１の正面には、その長手方向に沿って複数のＬＥＤ素子６２が間隔をあけて並列配置される。本実施形態のＬＥＤ基板６１は、コネクタ６４によって複数の基板が上下方向に接続されて構成される。
【００３２】
ＬＥＤ基板６１には、該ＬＥＤ基板６１を照明取付部５２の正面側に固定するためのビス締結箇所６３が複数形成される。また、ビス締結箇所６３は、ＬＥＤ基板６１におけるＬＥＤ素子６２の間等、ＬＥＤ素子６２が配置されていない場所に形成されるとともに、その形成される場所がＬＥＤ基板６１の長手方向に沿って直線状に並んでいる。
【００３３】
本実施形態では、ＬＥＤ基板６１を貫通した状態でビス（図示省略）が照明取付部５２に達することにより、ベース部を介することなく、ＬＥＤ基板６１が直接的に照明取付部５２に締結される。金属で構成される仕切り板５０は、ＬＥＤ基板６１の放熱部材としても機能する。
【００３４】
照明カバー７０は、ＬＥＤ基板６１を覆う細長のカバーである。照明カバー７０は、光を拡散させる拡散材入りのポリカーボネートで構成されており、ＬＥＤ素子６２からの光を拡散させる拡散部材としても機能する。本実施形態では、照明カバー７０が照明ユニット６０の光を発光する発光部となる。
【００３５】
図２に示すように、照明ユニット６０Ｒの上部キャップ７６Ｒにはリモコン１２０からの制御信号を受信する受信装置１００が内蔵されている。一方、照明ユニット６０Ｌの上部キャップ７６Ｌには、受信装置１００は内蔵されていない。本実施形態では、上部キャップ７６Ｒは、上部キャップ７６Ｌよりも正面側に突出しており、リモコン１２０からの制御信号を受信し易くなっている。
【００３６】
図４に示すように、下部キャップ７７は、その上部が照明カバー７０の内側に入り込むように構成される。これにより、下部キャップ７７によって照明カバー７０の下端を塞ぎつつ、照明ユニット６０を正面側から見たときには当該下部キャップ７７が外側から見え難くなる構成が実現されている。
【００３７】
次に、照明ユニット６０Ｌ，６０Ｒに電力を供給する電源ユニット８０について説明する。本実施形態では、照明ユニット６０Ｌ，６０Ｒに電力を供給する電源ユニット８０が、仕切り板５０Ｌの中空部に内蔵される。
【００３８】
図５に示すように、仕切り板５０Ｌの右側面には、２つの照明ユニット６０Ｌ，Ｒに電力を供給するための電源ユニット８０を固定する取付孔５９が形成される。電源ユニット８０は、直方体状に形成されるボックスタイプである。
【００３９】
電源ユニット８０は、電源カバー８１に固定されており、電源ユニット８０と電源カバー８１が一体的な部材となっている。
【００４０】
電源カバー８１は、細長の板状部材であり、取付孔５９よりも大きくなるように形成されている。電源カバー８１の上部には、ビスを固定するための締結箇所８５が形成されている。また、電源カバー８１の下部には、取付孔５９の下端に電源カバー８１を係止するための係止部（図示省略）が複数形成されている。
【００４１】
電源ユニット８０と電源カバー８１が一体的な部材となっているので、電源カバー８１を仕切り板５０Ｌの取付孔５９に固定するだけで電源ユニット８０が仕切り板５０の内側の適切な位置で収まるようになっている。本実施形態の電源ユニット８０は、仕切り板５０Ｌの内部において補強リブ４０よりも背面側の空間に位置している。
【００４２】
なお、本実施形態の仕切り板５０Ｒには、その中空部に電源ユニット８０が配置されないため、仕切り板５０Ｌに形成される取付孔５９が省略されている。仕切り板５０Ｒのそれ以外の構成については仕切り板５０Ｌと同様の構成である。
【００４３】
次に、本実施形態の照明カバー７０と、ＬＥＤ基板６１やミラー扉７等の他の構成と、の位置関係について説明する。図６は、本実施形態の照明カバー７０及びＬＥＤ基板６１を示す拡大断面図である。図６では、ミラー扉７Ｃが開いた状態を示し、閉鎖位置のミラー扉７Ｃを鎖線で示しており、下部キャップ７７等、一部の図示を省略している。
【００４４】
照明カバー７０は、その両側面７１が左右方向を向く平面状になっており、正面側に延び出ている。両側面７１の先端に断面形状が円弧状の曲面７２が形成される。本実施形態の照明カバー７０は、両側面７１及び曲面７２により、その断面形状が全体としてＵ字状になっている。照明カバー７０は、の上側の端部及び下側の端部は開放される細長の形状であり、上側の端部には上部キャップ７６が固定され、下側の端部には透光性の材料で構成される下部キャップ７７が固定される。
【００４５】
本実施形態では、照明カバー７０の先端部分が、閉鎖位置のミラー扉７の表面よりも正面側に突出している。本実施形態では、ミラー扉７の表面は鏡面となっており、鏡面よりも照明カバー７０の曲面７２部分が正面側に突出している。また、照明カバー７０の側面７１は、閉鎖位置のミラー扉７の端面に対面する位置になっている。
【００４６】
ＬＥＤ基板６１は、照明カバー７０の内側に配置される。ＬＥＤ基板６１の正面側は曲面７２の裏側に対面しており、左右方向を向く側の端面６７が側面７１の裏側に対面している。ＬＥＤ素子６２は、ＬＥＤ基板６１の正面側に設けられており、該ＬＥＤ素子６２の正面及び側面が照明カバー７０に覆われる状態になっている。
【００４７】
次に、照明カバー７０と仕切り板５０の接続構造について説明する。本実施形態では、照明カバー７０の両側面７１の端部に係合部７５が形成される。
【００４８】
照明カバー７０の係合部７５は、照明カバー７０の左右方向の内側に一度屈曲した後、外側に屈曲する断面略Ｌ字状に形成され、左右方向の外側を向く凹部となっている。一方、照明カバー７０と係合する照明取付部５２の被係合部５８は、照明取付部５２の左右方向の側面から正面側に延び出た後、左右方向の内側に突出する凸状に形成される。照明カバー７０の係合部７５が、照明取付部５２の被係合部５８に内側から嵌まり込むことにより、照明カバー７０と仕切り板５０が接続される。
【００４９】
照明カバー７０の取付作業について説明する。照明カバー７０は、照明取付部５２の正面側から取り付けられる。係合部７５は、その内側面がテーパ状になっているので、照明カバー７０が奥側に押し込まれると、取付面５７によって内側から外側に拡げられた状態となる。この状態で、照明カバー７０を更に奥側に押し込むことによって係合部７５が取付面５７を乗り越え、復元力によって元の形状に戻る。照明カバー７０がそこから更に奥側に押し込まれることによって係合部７５と被係合部５８が係合する。
【００５０】
照明取付部５２の被係合部５８が、照明カバー７０の係合部７５の外側に位置することにより、外部から受ける衝撃によって照明カバー７０の係合部７５が外側に外れようとしても、その動きが照明取付部５２の被係合部５８によって規制される。また、外部からの衝撃によって照明カバー７０の係合部７５が内側に移動しようとしても、照明取付部５２によってその動きが規制される。本実施形態の接続構造により、照明カバー７０が意図せず照明取付部５２から外れる事態が効果的に防止されている。
【００５１】
照明カバー７０は以上のように構成される。ＬＥＤ基板６１が複数のビスによって照明取付部５２に固定された状態で、照明取付部５２の被係合部５８に照明カバー７０の係合部７５が係合することで、照明ユニット６０が仕切り板５０に固定される。上部キャップ７６は照明カバー７０の上部をエンド部材としてカバーし、下部キャップ７７は照明カバー７０及び仕切り板５０の下端をエンド部材としてカバーする。本実施形態では、下部キャップ７７は、嵌合により照明カバー７０及び仕切り板５０に固定される。図１及び図３に示すように、照明ユニット６０は、２枚の仕切り板５０のそれぞれに固定される。
【００５２】
照明ユニット６０Ｌ，６０Ｒ、電源ユニット８０及び受信装置１００は電気的に接続されている。本実施形態では、リモコン１２０によって照明ユニット６０Ｌ，６０Ｒのオンオフや調光が制御される。リモコン１２０は、無線送信によって制御信号を受信装置１００に送信し、受信装置１００が受信した制御信号は照明ユニット６０Ｒに送信されるとともに、受光部ケーブル（図示省略）及び電源ユニット８０を介して照明ユニット６０Ｌに送信される。即ち、１つの受信装置１００が受信した制御信号に基づいて左右の照明ユニット６０Ｌ，６０Ｒがそれぞれ制御される。
【００５３】
リモコン１２０の操作により、ＬＥＤ基板６１のＬＥＤ素子６２が点灯すると、ＬＥＤ素子６２から照射された光は、照明カバー７０を通じて外部を照らす。図６の矢印に示すように、照明カバー７０を通過する光は背面側を除く広範囲に拡散される。
【００５４】
照明カバー７０の先端部分である曲面７２が、ミラー扉７の鏡面部分よりも突出しているので、照明カバー７０の先端部だけでなく側面方向にも光を効率的に出射させることができる。ミラー扉７は、その表面が鏡面になっているので、キャビネット本体１０の正面側を効率的に明るくすることができる。本実施形態では、ミラー扉７Ｃの左右に配置されるライン照明としての照明ユニット６０Ｌ，６０Ｒの側方から光が照射されるので、ミラー扉７Ｃの正面側に光を効率的に集めることができる。
【００５５】
また、照明カバー７０の下端部を覆う下部キャップ７７が透光性の材料で形成されているので、照明ユニット６０の下方にも光を照射することができ、キャビネット本体１０の下方に位置する洗面ボウル３等を照明ユニット６０の光を利用して照らすことができる。本実施形態では、照明カバー７０の先端部分がミラー扉７の鏡面のラインよりも正面側に突出しているので、ミラーキャビネット６の正面側に立つユーザの手元を効果的に照らすことができる。
【００５６】
更に、光を透過させる材料で構成された照明カバー７０の側面７１がＬＥＤ基板６１の側方に位置しているので、ＬＥＤ素子６２の光を照明カバー７０の側面７１からキャビネット本体１０の内部に照射させることができる。図７は、中央のミラー扉７Ｃが開いた状態の本実施形態のキャビネット本体１０を示す斜視図である。図７では、キャビネット本体１０の内部を照らす光の一部を矢印に示しており、正面側に拡散する光についてはその図示を省略している。
【００５７】
図７に示すように、蝶番９５を介してキャビネット本体１０に取り付けられているミラー扉７Ｃを開くと、キャビネット本体１０の中央収納部８Ｃが露出した状態となる。この状態で照明ユニット６０Ｌが点灯すると、図７の矢印に示すように、照明カバー７０の側面７１を通じて照射される光によってキャビネット本体１０の内部空間（中央収納部８Ｃ）が照らされる。キャビネット本体１０の内部が明るくなることにより、横仕切り板９に載置される収納物９６の判別もし易くなり、様々な局面でユーザにとって利便性の高いミラーキャビネット６を実現できる。
【００５８】
以上説明した本実施形態によれば、以下のような効果を奏する。
即ち、本実施形態のミラーキャビネット６は、キャビネット本体１０と、キャビネット本体１０の内部空間を開閉するミラー扉７と、キャビネット本体１０の正面側であって閉鎖位置のミラー扉７と隣り合わせとなる位置に配置される照明ユニット６０と、を備える。照明ユニット６０は、キャビネット本体１０側に固定され、ＬＥＤ素子６２が正面側に配置されるＬＥＤ基板６１と、透光性を有し、ＬＥＤ基板６１に配置されるＬＥＤ素子６２の正面及び側面を覆う照明カバー７０と、を有する。
【００５９】
これにより、照明カバー７０の側面７１を透過する光により、キャビネット本体１０の内部を照らすことができる。照明ユニット６０の光を利用することにより、キャビネット本体１０の内部に照明器具を別途配置することなく、使用者がミラー扉７を開いたときにキャビネット本体１０の内部が暗くて収納物９６が判別できない事態が生じることを効果的に防止できる。
【００６０】
ＬＥＤ基板６１は、閉鎖位置のミラー扉７の表面よりも背面側でキャビネット本体１０側に固定される。
【００６１】
これにより、ＬＥＤ基板６１のＬＥＤ素子６２と照明カバー７０までの距離を長くとることができ、ユーザが照明カバー７０を見たときにＬＥＤ素子６２からの光が点光源として見えてしまう事態を防止できる。
【００６２】
照明カバー７０は、ＬＥＤ基板６１よりも背面側に配置され、キャビネット本体１０側に係合する係合部７５を有する。
【００６３】
これにより、照明カバー７０を取り付けるための接続構造をシンプルな構成で実現できる。係合部７５がＬＥＤ基板６１よりも奥側となるので、キャビネット本体１０の内部に照射する光量の調節を照明カバー７０における側面７１の形状や材質によって自由に設計することができる。
【００６４】
キャビネット本体１０は、キャビネット本体１０の内部空間を区画する金属製の仕切り板５０を有し、ＬＥＤ基板６１は、仕切り板５０の正面側に直接固定される。
【００６５】
これにより、金属光沢を有する仕切り板５０によりキャビネット本体１０の内部に照射された光が反射し、キャビネット本体１０の内部空間をより一層明るくすることができる。また、金属製で構成される仕切り板５０をＬＥＤ基板６１で生じる熱を放熱させる放熱部材として機能させることもできる。また、ベース部等の別部材を介することなくＬＥＤ基板６１を仕切り板５０に固定できるので、ベース部を用いた場合のような継ぎ目が生じず、照明ユニット６０の組立性及びメンテナンス性を向上させることができる。継ぎ目が生じないので照明ユニット６０及び仕切り板５０が一体的である印象を与え、美観も向上する。また、ＬＥＤ基板６１を仕切り板に固定するためのビスを照明カバー７０の外部から見えない位置にすることもでき、ミラー扉７を開けたときに、照明ユニットを取り付けるために仕切り板に締結されたビスが露出して美観が損なわれる事態も防止できる。
【００６６】
以上、本発明の好ましい実施形態について説明したが、本発明は、上述の実施形態に制限されるものではなく、適宜変更が可能である。
【００６７】
次に、図８を参照して上記実施形態の第１変形例について説明する。図８は、第１変形例の照明カバー１７０及びＬＥＤ基板６１を示す拡大断面図である。なお、以下の説明において上記実施形態と同様の構成については同じ符号を付してその説明を省略することがある。
【００６８】
第１変形例の照明ユニット１６０は、照明取付部１５２の被係合部１５８及び照明カバー１７０の係合部１７５の形状が上記実施形態とは異なっている。図８に示すように、照明カバー１７０の係合部１７５は、外側から照明取付部１５２の被係合部１５８に係合するように形成される。第１変形例の構成により、照明カバー１７０におけるＬＥＤ基板６１よりも奥側の長さを短くすることができ、照明カバー１７０の形状をより一層シンプルにすることができる。
【００６９】
次に、図９、図１０及び図１１を参照して第２変形例について説明する。図９は、第２変形例のミラーキャビネット２０６を示す平面図である。図１０は、第２変形例の左右のミラー扉７Ｌ，７Ｒが開いた状態のミラーキャビネット２０６を示す平面図である。図１１は、第２変形例の照明カバー２７０及びＬＥＤ基板６１を示す拡大断面図である。なお、以下の説明において上記実施形態と同様の構成については同じ符号を付してその説明を省略することがある。
【００７０】
第２変形例の照明ユニット２６０Ｌ，２６０Ｒは、キャビネット本体２１０に取り付けられ、発光部となる照明カバー２７０の形状が上記実施形態の照明ユニット６０とは異なっている。図９に示すように、照明ユニット２６０Ｌの上端には、照明カバー２７０の形状に合わせた形状の上部キャップ２７６Ｒが配置され、照明ユニット２６０Ｌの上端には上部キャップ２７６Ｌが配置されている。上部キャップ２７６Ｌ，２７６Ｒは、いずれも照明カバー２７０の断面形状と略同じ形状となっている。
【００７１】
図１１に示すように、照明カバー２７０は、先端部が略三角形状に形成されている。左右の照明カバー２７０は、いずれも、左右方向の外側の第１側面２７１と、左右方向の外側から内側に近づくにつれて奥側に近づくように傾斜する傾斜面２７２と、左右方向の内側で第１側面２７１と同じ方向に延び、傾斜面２７２に接続される第２側面２７３と、からなる。図９からもわかるように、照明ユニット６０Ｒの照明カバー２７０は、照明ユニット６０Ｌの照明カバー２７０と斜辺部分が向き合う線対称な形状となっている。第２変形例の構成では、照明カバー２７０の突出している部分における左右方向の中央側（傾斜面２７２）がテーパ状となっているので、ミラーキャビネット２０６の正面中央に効率的に光を集めることができる。更に、図１０に示すように、左右のミラー扉７Ｌ，７Ｒを開いた状態で使用すると、照明ユニット６０Ｌ，６０Ｒから照射される直接的な光だけではなく、左右のミラー扉７Ｌ，７Ｒの鏡面の反射光も利用できる。この場合、第１側面２７１が長いほど、左右のミラー扉７Ｌ，７Ｒで反射される光量が多くなり、より効果的に中央に光を集めることができる。
【００７２】
上記実施形態では、照明ユニット６０の照明カバー７０の左右方向の幅（正面視における幅）や照明カバー７０のミラー扉７よりも正面側に突出する突出量（側面視における奥行方向の幅）が上下方向にわたって略一定の構成を例として説明したが、この構成に限定されない。例えば、上方を明るくしたい場合は、以下のような構成を採用することができる。即ち、照明カバー７０の左右方向の幅が、下部よりも上部が幅広になるように構成する又は突出量が下部よりも上部で大きくなるように構成する又は照明カバー７０の左右方向の幅及び突出量の両方が下部よりも上部で大きくなるように構成することができる。左右方向の幅及び突出量のいずれにおいても、段階的に大きくなる構成としてもよいし、直線状に変化（傾斜）していく構成としてもよい。このように、照明ユニット６０は、一律な形状に限定されず、左右方向の幅や突出量が上下方向で異なる構成等、種々の形状を採用できる。
【００７３】
上記実施形態及び変形例に限定されず、照明カバー７０の側面７１から照射される光の強さを調整するための構成を加えることもできる。例えば、拡散材の量を部分的に増やすことにより、透過率を下げることができる。また、照明カバー７０を２色成形等により透過率の異なる部材を一体成形し、照明カバー７０の側面７１におけるＬＥＤ素子６２から近い位置の部位の透過率を下げる構成とすることもできる。また、照明取付部５２からリブを設け、該リブによってＬＥＤ素子６２に対応する位置を隠す構成とすることもできる。これらの構成により、ＬＥＤ素子６２から照明カバー７０までの距離が短いために、照明カバー７０を取り付けた状態でもＬＥＤ素子６２からの光が点光源として見えてしまう事態を効果的に防止できる。
【００７４】
上記実施形態では、ＬＥＤ基板６１が仕切り板５０に直接的に固定される構成であるが、ベース部を介してＬＥＤ基板６１をキャビネット本体１０に取り付ける構成とすることもできる。
【００７５】
上記実施形態では、中空部を有する仕切り板５０は、一部材によって構成されているが、この構成に限定されるわけではない。例えば、半割形状の２部材によって中空部を有する構成や、断面形状が略Ｕ字状に形成される部材が背板に取り付けられることにより、中空部を形成する構成とすることもできる。このように、中空部を有する仕切り板の構造は事情に応じて適宜変更することができる。また、仕切り板が中空部を有する構成に限定されない。例えば、木板によって上記実施形態のように先端切欠き形状の仕切り板を構成してもよいし、サイズの異なる２枚の木板を接合することにより、先端切欠き形状になるように構成してもよい。
【００７６】
上記実施形態では、３枚のミラー扉７を備えるミラーキャビネット６を例に説明したが、この構成に限定されない。ミラー扉７が１枚のミラーキャビネットや４枚以上のミラーキャビネット等、種々のミラーキャビネットに本発明を適用できる。
【００７７】
上記実施形態では、照明カバー７０がミラー扉７の表面より正面側に突出する構成であるが、この構成に限定されない。例えば、照明カバーの先端部がミラー扉の表面と略面一又は表面より背面側に位置するミラーキャビネットにおいても本発明を適用することができる。
【符号の説明】
【００７８】
６  ミラーキャビネット
７  ミラー扉
１０  キャビネット本体
５０  仕切り板
６０  照明ユニット（照明器具）
６１  ＬＥＤ基板（照明基板）
６２  ＬＥＤ素子（光源）
７０  照明カバー
７５  係合部
１７５  係合部
２０６  ミラーキャビネット
２１０  キャビネット本体
【図１】
2017080288.tif 000003
【図２】
2017080288.tif 000004
【図３】
2017080288.tif 000005
【図４】
2017080288.tif 000006
【図５】
2017080288.tif 000007
【図６】
2017080288.tif 000008
【図７】
2017080288.tif 000009
【図８】
2017080288.tif 000010
【図９】
2017080288.tif 000011
【図１０】
2017080288.tif 000012
【図１１】
2017080288.tif 000013